(57)【特許請求の範囲】
【請求項１】
屈折式ベッド用のフレームにおいて、
上部内側フランジ（２６）と、下部内側フランジ（２８）と、底部フランジ（４４）と、前記底部フランジ（４４）から延びる感触器フランジ（５０）と、前記上部内側フランジ（２６）及び前記下部内側フランジの中に形成された支持チャネル（３２）とを有する押出ビーム材（２４）であって、前記上部内側フランジ（２６）の下縁部が上部ランナビード（４６）で終端し、前記下部内側フランジ（２８）の上縁部が下部ランナビード（４８）で終端し、フレーム側方要素と端部要素とを形成するために切断された押出ビーム材（２４）と、
頭方向端部プレート及び足方向端部プレートであって、前記底部フランジの底面に係合且つ固定され、前記フレーム側方要素間を延びており、前記感触器フランジが、前記頭方向端部プレート及び前記足方向端部プレートの側縁部及び端縁部に係合する、頭方向端部プレート及び足方向端部プレートと、
前記支持チャネル内に収容され前記支持チャネルによって支持される複数の支持要素（６０、６７）であって、屈折構造の座面部分を支持する移動台座（２２）と係合する支持要素（６０、６７）と
を含んでおり、
前記押出ビーム材が、前記上部内側フランジ及び前記下部内側フランジを残すように前記押出ビーム材を貫いて延在するひき目を含み、前記ひき目で所定の角度曲げられて前記側方要素および前記端部要素が形成されていることを特徴とする屈折式ベッド用のフレーム。
【請求項２】
請求項１に記載の屈折式ベッド用のフレームにおいて、前記支持要素が前記支持チャネル内を平行移動可能であることを特徴とする屈折式ベッド用のフレーム。
【請求項３】
請求項１に記載の屈折式ベッド用のフレームにおいて、前記押出ビーム材がさらに付属品チャネル（３８、３９）を含むことを特徴とする屈折式ベッド用のフレーム。
【請求項４】
請求項１に記載の屈折式ベッド用のフレームにおいて、前記押出ビーム材がさらに、上部掴みフランジ（３６）および下部掴みフランジ（４２）を含み、前記屈折式ベッド用のフレームがさらに、前記上部掴みフランジと下部掴みフランジの間で係合される発泡ボルスタ（９４）を含むことを特徴とする屈折式ベッド用のフレーム。
【請求項５】
請求項４に記載の屈折式ベッド用のフレームにおいて、前記発泡ボルスタが布で覆われることを特徴とする屈折式ベッド用のフレーム。
【請求項６】
請求項１に記載の屈折式ベッド用のフレームにおいて、前記支持チャネルに収容され、前記屈折構造のための作動システムの構造要素と係合する複数の固定支持ブロック（８２）をさらに含むことを特徴とする屈折式ベッド用のフレーム。
【請求項７】
請求項１に記載の屈折式ベッド用のフレームにおいて、前記押出ビーム材がさらに底部フランジ（４４）を含み、前記屈折式ベッド用のフレームが、前記底部フランジ上で係合する発泡ボルスタをさらに含み、前記発泡ボルスタが、弾性柔軟スペーサ（１０３）が前記支持チャネルより上に延在している状態で前記押出ビーム材に締結される取付支持体を組み込むことを特徴とする屈折式ベッド用のフレーム。
【発明の詳細な説明】
【技術分野】
【０００１】
関連出願の相互参照
本出願は、２０１４年５月１４日に出願された米国仮特許出願第６１９９３０８７号の優先権を主張する。前記仮特許出願の開示内容は参考文献として本明細書に組み込まれる。
【０００２】
本発明は広義には調整可能なベッドの分野に関し、詳細には、ボルスタ取付け用および屈折要素支持係合用の一体要素を備えた押出支持フレームを有する屈折式ベッドのフレームの構造に関する。
【背景技術】
【０００３】
屈折式ベッドはますます普及が進み、多様なサイズおよび様式で製造され続けている。ベッドの屈折要素を支持するために、組み立てられた木製および／または金属製フレームが典型的に使用される。ツイン、クイーン、キング、スーパーキングおよびセパレート型キングベッド用にさまざまなフレームサイズが必要とされ、それらは一般に個々に工具を用いて作らなければならず、これにより部品の数が多くなる。溶接または重い機械的締結具が組立てに必要とされ、組み立てられたベッドはかなりの重さになる可能性がある。
【発明の概要】
【０００４】
従って、最低限の工具、単純な締結具の使用および組立要素の別個の部品の数の低減により容易に作製される屈折式ベッド用フレームを提供することが望まれている。
【課題を解決するための手段】
【０００５】
本明細書に開示される実施形態は、辺の長さに関して押出物にひき目をスライスし、完成フレームを形成するように寸法決めされたベース要素の周りでひき目で曲げることによっていかなる所望のベッドサイズにも形成される押出金属フレーム形状を提供することによって従来技術の欠点を克服する。屈折式ベッド用のフレームは、内側フランジと、その中に形成された支持チャネルとを有する押出ビーム材を使用する。押出ビーム材はフレーム側方要素と端部要素とを形成するように切断され、複数の支持ブロックが支持チャネル内に収容され支持チャネルによって支持される。支持ブロックは、屈折構造の座面部分を支持する移動台座（ｃｈａｒｉｏｔ）と係合する。
【０００６】
本発明のこれらのおよび他の特徴および有利性は、添付の図面に関連して考慮されるとき、以下の例示的実施形態の詳細な記載を参照することによって、より深く理解される。
【図面の簡単な説明】
【０００７】
【図１Ａ】図１Ａは、本明細書に記載されるフレーム実施形態を使用する屈折式ベッドの上側斜視図である。
【図１Ｂ】図１Ｂは、図１Ａのベッドの下側斜視図である。
【図２Ａ】図２Ａは、本明細書に記載される第１の例示的なフレーム実施形態用の第１の例示的な構造フレーム押出物の斜視図である。
【図２Ｂ】図２Ｂは、第１の例示的な構造フレーム押出物の端面図である。
【図２Ｃ】図２Ｃは、本明細書に記載される第２の例示的なフレーム実施形態用の第２の例示的な構造フレーム押出物の斜視図である。
【図２Ｄ】図２Ｄは、第２の例示的な構造フレーム押出物の端面図である。
【図３Ａ】図３Ａは、フレームの側方要素および端部要素の長さおよび幅を定めるひき目を示す第１の構造フレーム押出物の斜視図である。
【図３Ｂ】図３Ｂは、フレームを曲げるためのひき目を形成するのこ刃を示す第１の構造フレーム押出物の端面図である。
【図４Ａ】図４Ａは、曲げられたフレームの隅部の部分上面図である。
【図４Ｂ】図４Ｂは、曲げられたフレームの隅部の部分斜視図である。
【図５】図５は、フレームの支持チャネル内に取り付けるための例示的なスライダの斜視図である。
【図６Ａ】図６Ａは、支持チャネル内に取り付けられたスライダを示す第１の構造フレーム押出物の端面図である。
【図６Ｂ】図６Ｂは、支持チャネル内に取り付けられた車輪付き支持体を示す第２の構造フレーム押出物の端面図である。
【図７Ａ】図７Ａは、移動台座上で相対的に位置付けられる座面ボードと上半身ボードの例示的な位置付けに関して支持チャネル内のスライダを示す部分的な斜視詳細図である。
【図７Ｂ】図７Ｂは、移動台座上で相対的に位置付けられる座面ボードと上半身ボードの例示的な位置付けに関して支持チャネル内の移動台座用車輪付き支持体を示す部分的な斜視詳細図である。
【図８】図８は、マットレス支持体の屈折要素の相対的な位置付けに関し支持チャネル内の例示的なスライダを示す断面斜視図である。
【図９】図９は、屈折構造を支持する移動台座を示す側断面図である。
【図１０Ａ】図１０Ａは、支持チャネル内の固定支持ブロックの斜視図である。
【図１０Ｂ】図１０Ｂは、構造フレーム押出物を示す端断面図であり、屈折支持ボード用の傾斜した支持部材が支持チャネル内に挿入されている。
【図１０Ｃ】図１０Ｃは、フレーム押出物連結装置として追加的に機能する傾斜した支持部材を示す斜視図である。
【図１１Ａ】図１１Ａは、第１構造フレーム押出物を示す端断面図であり、発泡ボルスタ要素がボルスタフランジ内に挿入されている。
【図１１Ｂ】図１１Ｂは、第１構造フレーム押出物を示す端部断面等角図であり、発泡ボルスタ要素がボルスタフランジ内に挿入されている。
【図１１Ｃ】図１１Ｃは、第２構造フレーム押出物を示す端部断面斜視図であり、発泡ボルスタ要素が隅部ブラケットで押出物に取り付けられている。
【図１１Ｄ】図１１Ｄは、第２構造フレーム押出物を示す端部断面斜視図であり、発泡ボルスタ要素が隅部ブラケットなしで押出物に取り付けられている。
【図１２Ａ】図１２Ａは、ボルスタフランジに挿入されたボルスタ要素と、構造フレームと同一平面の非屈折位置にある屈折構造との断面斜視図である。
【図１２Ｂ】図１２Ｂは、布張りされたボルスタを有する完成ベッドフレームの隅部を示す部分斜視図である。
【図１３Ａ】図１３Ａは、図２Ｃおよび２Ｄに関連して記載した押出物を使用する組み立てられたフレームの斜視内面図である。
【図１３Ｂ】図１３Ｂは、図１３Ａに示されるアセンブリ用の隅部ブラケットの斜視図である。
【図１３Ｃ】図１３Ｃは、図１３Ａに示されるアセンブリ用の底部ブラケットおよび脚部支持体の斜視図である。
【図１４Ａ】図１４Ａは、ひき目を付けられた構造フレーム押出物を使用してベッドフレームを作製するためのアセンブリテーブルの斜視図である。
【図１４Ｂ】図１４Ｂは、アセンブリテーブル用の例示的な隅部支持要素の斜視図である。
【図１５Ａ】図１５Ａは、ベッドフレーム用の例示的なベース要素の上面図である。
【図１５Ｂ】図１５Ｂは、ベース要素の斜視図である。
【図１６Ａ】図１６Ａは、組立てのために、ベース要素が導入され、ひき目の付いた構造フレーム押出物が位置づけられているアセンブリテーブルの斜視図である。
【図１６Ｂ】図１６Ｂは、フレーム側部を形成するために曲げられた構造フレーム押出物を示す斜視図である。
【図１７】図１７は、曲げられて端部プレートに取り付けられたフレーム押出物２２を示す詳細な部分図であり、感触器フランジ（ｆｅｅｌｅｒ  ｆｌａｎｇｅ）が端部プレートの縁部と係合している。
【図１８】図１８は、ボルスタを仕上げるための分解された隅部要素の部分斜視図である。
【図１９】図１９は、対を成すキングベッドアセンブリに関し、隣接フレームの支持チャネル内で係合フランジを使用するフレームの結合を示す部分斜視図である。
【図２０】図２０は、キングサイズベッドを形成する２つのツインベッドフレームからなる従来技術アセンブリの絵画的な図である。
【図２１】図２１は、連続ボルスタアセンブリに関し、図１９に示される係合フランジを使用した結合によって許容される現在のフレームアセンブリの絵画的な図である。
【図２２Ａ】図２２Ａは、外面仕上げに関する押出物の代替実施形態の絵画的な図である。
【図２２Ｂ】図２２Ｂは、外面仕上げに関する押出物の代替実施形態の絵画的な図である。
【図２２Ｃ】図２２Ｃは、外面仕上げに関する押出物の代替実施形態の絵画的な図である。
【図２３】図２３は、ヘッドボードを取り付けるために支持チャネルと係合するブラケットの絵画的な図である。
【発明を実施するための形態】
【０００８】
図面に示され本明細書に記載される実施形態は、最低限の労力および工具を用いた直線的な作製プロセスを可能にする、屈折式ベッドフレーム構造を作製するための構造およびシステムを提供する。フレーム要素は、組立てのために自ら治具となり、および幅広い寸法に適応可能である。
【０００９】
図面を参照すると、図１Ａは、本明細書に開示されるような構造フレームを使用する屈折式ベッドを示す。屈折構造１０は、座面支持体１２と、上半身支持要素１４と、大腿部支持要素１６とを有し、上半身支持要素と大腿部支持要素はヒンジを用いて座面支持要素に取り付けられ、屈折構造はさらに、大腿部支持要素にヒンジを用いて取り付けられた下腿部支持要素１８を有する。支持要素は実質的に固体として示されているが、剛性平坦表面を提供する剛性ハニカム材料または同様の材料が使用されてもよい。フレーム２０が屈折構造１０を支持する。図１Ｂに示されるように、移動台座２２が座面支持体１２に係合され、屈折構造１０を搬送し、上半身支持要素１４とともに「壁密着（ｗａｌｌ  ｈｕｇｇｉｎｇ）」効果を可能にする。移動台座２２は、上半身支持要素１４が平坦位置から直立位置へ持ち上げられるとき、長手方向に（足からベッドの頭部まで）横断する。
【００１０】
フレーム２０は図２Ａおよび２Ｂに示される押出ビーム材２４から形成される。押出ビーム材２４は、金属または他の構造材料であり得、本明細書に開示される実施形態ではアルミニウムであり、上部内側フランジ２６と下部内側フランジ２８とを組み込み、それらは上壁３３と下壁３５とを有する支持チャネル３２に開口するスロット３０によって分離されている。上部外側フランジ３４は支持チャネル３２を閉鎖し、上部掴みフランジ３６まで上方に延在する。付属品チャネル３８は下部内側フランジ２８によって裏打ちされ、下部外側フランジ４０は付属品チャネル３８の外側の部分的な閉鎖を提供する。ベッドと連動する屈折システムアクチュエータ、一体化マッサージシステム、音響または照明システム用の配線は、付属品チャネルを通して引き回され得る。代替実施形態では、下部外側フランジは、付属品チャネルの外側の全体的な閉鎖を提供し得る。下部掴みフランジ４２は底部フランジ４４を形成し、底部フランジ４４は付属品チャネル３８の底壁を同じく形成する。支持チャネル下壁３５は、図面に示される実施形態では付属品チャネル３８の上側終端部を提供する。上部内側フランジ２６の下縁部および下部内側フランジ２８の上縁部はそれぞれ上部ランナビード４６および下部ランナビード４８で終端し、上部ランナビード４６および下部ランナビード４８はこの例示的実施形態ではスロット３０の境界を定める。感触器フランジ５０が底部フランジ４４に従属する。
【００１１】
押出物の代替構造が、他の所望の実施形態に使用され得る。図２Ｃおよび２Ｄは、後でより詳細に記載する実施形態で使用するための第１の代替形態を示し、押出ビーム材２４は支持チャネル３２の上壁３３で終端し、上部掴みフランジを組み込まない。下壁３５は、支持チャネル３２を閉鎖する上部外側フランジ３４から延在する。下壁３５は内側フランジ２９によって支持される。下部外側フランジ４１は支持チャネル３２から下方へ延在し、底部フランジ４４で終端する。底部フランジ４４から延在する下部フランジ４３が存在し、感触器フランジ５０が先行実施形態のように底部フランジ４４に従属する。付属品チャネル３９が設けられる。
【００１２】
図２Ａおよび２Ｂに関連して記載される押出ビーム材２４の構造は、図３Ａに示されるようなフレーム１０の側方要素７０ならびに端部要素７２および７２ａ、７２ｂの長さおよび幅を決定するためのひき目（ｓａｗ  ｋｅｒｆ）５２の形成を可能にする。図３Ｂに示されるように、のこ刃５４が使用され、上部掴みフランジ３６、上部外側フランジ３４、支持チャネル上壁３３および下壁３５、下部外側フランジ４０、下部掴みフランジ４２、付属品チャネル底壁４４、および感触器フランジ５０を貫いて線５６まで延在する押出ビーム材２４の正確な切れ目を提供し、このとき内側上部フランジ２６および下部内側フランジ２８のウェブだけがひき目５２の終端として無傷のまま残される。押出ビーム材２４は次いで、後でより詳細に記載するようにフレーム１０を形成するために図４Ａおよび４Ｂに示されるように各ひき目で折り曲げられ得る。図４Ｂで見られるように、ひき目における折り曲げは、支持チャネル３２をフレーム１０の内側に、および付属品チャネル３８をフレームの外側に位置付ける。フレームの各要素の支持チャネル３２は、後でより詳細に記載するように、組立作業のためにひき目に形成された開口端部からアクセス可能である。同様に、付属品チャネルは端部で開口する。
【００１３】
図１Ｂに関連して記載したような屈折構造１０を支持する移動台座２２は、図５に詳細に示される平行移動用支持ブロック６０など、支持チャネル３２内を移動する支持要素と係合する。各平行移動用支持ブロック６０は上部溝６２と下部溝６４とを有し、それら溝は上部および下部ランナビード４６、４８と係合しかつその上を移動するように適合され、このとき平行移動用ブロック６０の内側部分６６は図６Ａおよび７Ａに示されるように支持チャネル３２内に係合されている。中央ボア６８は、移動台座２２から延在するアクスルを受け入れる。補助ボア７０は取付締結具用に使用され得る。平行移動用支持ブロック６０は、ナイロンまたはＴｅｆｌｏｎ（登録商標）などの本質的に潤滑性の材料から形成され、それにより、屈折構造１０を作動させる間、移動台座２２を平行移動させる間のランナビードおよび支持チャネルに沿った容易な平行移動が可能になる。図８および９に示されるように、側方要素７０の支持チャネル３２内を移動する平行移動用支持ブロック６０の対が、屈折構造１０の支持を提供しながら間隔を空けた関係で移動台座２２と係合する。代替実施形態では、平行移動用ブロックは、支持チャネル３２の底部３５の上を移動し得、または支持要素は移動台座２２からのアクスル６９を有する車輪６７または同様の構造であり得、車輪６７または同様の構造は、平行移動のために移動台座と係合しかつ移動台座を支持するために、図６Ｂに示されるように支持チャネル３２内に受け入れられ得る。図２Ｃおよび２Ｄに関連して記載したような押出物２４の代替的な構造は、この代替実施形態用として示されている。結果として得られる搬送構造が図７Ｂに示されている。
【００１４】
様々な屈折機構が、開示されている実施形態のフレーム構造とともに使用され得る。頭方向端部プレート７６、足方向端部プレート７８および中央プレート８０が、後でより詳細に記載するように、追加の剛性のためにおよび一体化された作製形態のために、フレーム２０の一部として使用される。端部プレートの辺縁部および中央プレートの側縁部は、押出ビーム材の感触器フランジによって係合される。屈折機構のアクチュエータおよびテンションまたは圧縮要素はそれらプレートに取り付けられ得る、または図１０Ａに示されるように支持チャネル３２内に収容された静止または固定支持ブロック８２によって係合され得る。固定支持ブロックは、屈折要素と係合するためにアクスルを受け入れる係合ボア８４を組み込み、および固定ボア８６を含み得る。固定支持ブロック８２は、上部または下部内側フランジ２６、２８に形状が合った状態で通される締結具によって、上部および下部内側フランジ２６、２８の１つまたは両方と係合するために固定ボア８６に挿入される幅のある頭部の締結具によって、または支持チャネルの裏面に陥凹部を作りかつ支持チャネルの裏面と係合するように固定ボア８６に挿入されるセットスクリューによって、または固定支持ブロックを固定するために支持チャネルのフランジに形成される衝突による陥凹部（ｐｅｅｎｅｄ  ｄｉｍｐｌｅ）によって、支持チャネル内の所定の位置に固定されるように係合され得る。
【００１５】
傾斜した支持部材８８などの追加の支持要素が、図１０Ｂで見られるように、支持チャネル３２内の所定の位置に収容され得る。傾斜した支持部材８８は、支持チャネル３２内に収容される本体９０と、スロット３０を通って突出する傾斜した拡張部９２とを含み、フレーム２０と同一平面状の非屈折位置において上半身支持要素１４などの屈折支持要素用の追加的な支持を提供する。
【００１６】
図１０Ｃに示されるような傾斜した支持部材は、前に記載したような端部閉鎖要素７２ａおよび７２ｂなどの当接する押出ビーム材要素間のジョイント部分に広がるのに十分な長さを有する。
【００１７】
フレーム２０は、完全な布張りされたベッドフレーム用の一体仕上げ性能を提供する。図１１Ａおよび１１Ｂに示されるように、フレームを囲むパッド入りボルスタ９４が、押出発泡体ブロック９６（これは布外層９８で覆われてもよい）を、図２Ａおよび２Ｂに関連して記載したような押出物２４の第１実施形態の上部掴みフランジ３６と下部掴みフランジ４２との間に挿入することによって形成される。上部掴みフランジ３６と下部掴みフランジ４２は、布張りされた発泡体ブロック９６と係合するために歯１００を使用する。布の質感および色、ならびに発泡体ブロックの押出形状に基づくボルスタの形状は、ボルスタをフレームへ取り付けるときに選択可能であり、それにより製品外観の優れた柔軟性が提供される。
【００１８】
代替実施形態において、ボルスタを固定するために接着剤または機械的締結具が使用され得る。図２Ｃおよび２Ｄに関連して記載したような押出物２４を使用する図１１Ｃおよび１１Ｄに示される例のように、ボルスタ９５は、取付支持体９９が組み込まれた押出発泡体ブロック９７を使用し得る。ボルスタは下部フランジ４３上に配置される。次いで取付支持体９９は、支持チャネル３２の外側フランジ３４を貫いて伸びるスクリュー１０１などの機械的締結具を使用して押出物２４に取り付けられ得る。外側フランジ３４が支持チャネル３２の上部延伸部で終端する押出物２４の第２実施形態では、ボルスタ９５は、押出物の剛性要素の上に伸びる弾性柔軟スペーサ１０３を提供し（図１１Ｄで最もよく見える）、屈折構造が本出願と共通の譲受人を有する米国特許第８，９９０，９８３号明細書（表題「Ｂｅｄ  Ｆｒａｍｅ  ｆｏｒ  ａｎ  Ａｄｊｕｓｔａｂｌｅ  Ｂｅｄ」）に開示されているように非屈折位置においてフレームの上面に載り得る場合、挟み込み保護を提供する。
【００１９】
図１２Ａおよび１２Ｂに示されるように、完成されたフレーム２０は寝室家具の魅力的な完成部材を提供する。屈折構造１０はフレーム１０によって支持され、示されている実施形態では、全ての要素がフレームの上限と面一に窪んだ状態で支えられている。
【００２０】
フレーム側部および端部セクションが別個の部品として切断されている実施形態では、フレームは図１３Ａ〜１３Ｃに示されるような隅部ブラケットを使用して簡単に組み立てられる。図２Ｃおよび２Ｄに関連して記載したような押出物を使用して組み立てられたフレームが図１３Ａに示されている。示されているように、側方要素７０は、図１３Ｂに示され図１１Ｄで見られるような隅部ブラケット１０４を使用して、穴１０７に受け入れられる締結具１０５を使用して、端部要素７２に接続される。示されている実施形態では、隅部ブラケット１０４は、ボルスタ９５の丸みを帯びた隅部に対応するべく面取りされた隅部を有する。示されている実施形態は側方要素７０および端部要素７２の押出物２４の外壁にブラケット１０４を配置するが、ブラケットはチャネル３２内に内側に収容されてもよい。
【００２１】
図１３Ｃに示される底部ブラケットおよび脚部支持体１０６が、図１３Ａで見られるように、組み立てられた側方要素７０と端部要素７２の隅部の追加的な剛性を提供するために使用され得る。締結具が（図２Ｃおよび２Ｄに関連して記載したような）下部フランジ４３または底部フランジ４４および穴１０８を通して挿入され、底部ブラケットおよび脚部支持体をフレーム押出物に係合する。次いでフレーム２０は、底部ブラケットおよび脚部支持体１０６に取り付けられた脚部によって支持され得る。
【００２２】
開示されているようなフレーム２２の実施形態は、最低限の工具、特定部品数および熟練労働要件を用いた非常に簡素化された作製プロセスを提供する。押出ビーム材２４は長い長さで受け入れられ得る、または図３Ａに示されるように所望のベッドサイズ向けに切断されたビーム材長さで押出機から直接作業が行われ得る。ひき目５２は所望のベッドサイズに関してフレームの側方および端部要素の所定の長さのところに切り込まれる。次いで各ビーム材は粉末コーティングされオーブンで硬化され得る、または陽極化され得る、または直接的な線形プロセスにおいて所望の仕上げを施され得る。
【００２３】
図３Ａ、３Ｂ、４Ａおよび４Ｂに関連して記載したひき目構成を使用する実施形態に関するフレーム２０の作製は、図１４Ａに示されるような単一形成工具１１０で達成され得る。図１４Ｂに詳細に示される端部ブロック１１２が、完成フレーム２２の隅部に対応する隅部位置で工具１１０に配置される。端部ブロック１１２は位置決めディスク１１４を組み込み、位置決めディスク１１４は、図１５Ａおよび１５Ｂに詳細に示される頭方向端部プレート７６および足方向端部プレート７８の対応する位置決め穴１１６を受け入れる。例示的実施形態では、端部プレート７６、７８は合板から作製され、ＣＮＣソーまたはミーリング機械で長さおよび幅に対し精確に切断され得、位置決め穴１１６は工具１１０の端部ブロック１１２の位置決めディスクとぴったり合うように穴あけされる。図１４Ａおよび１４Ｂで見られるように、端部ブロック１１２は、だぼ１２０がサイジング穴１２２に収容された状態で工具１１０の天板１１８に取り付けられる。所望の幅のサイジング穴１２２内にだぼを位置付けることによって多様なベッド幅、ツイン、ダブル、クイーンまたはキングに適応可能である。端部ブロック１１２の上面１２４は端部プレート７６、７８に安定した水平支持体を提供する。端部プレート７６、７８用のＣＮＣ形成プロセスの一部として、精確な締結具の穴１２６が穿孔され得る。
【００２４】
図１６Ａに示されるように端部プレート７６、７８が工具１１０に取り付けられた状態で押出物２２は整列されるが、このとき端部要素７２はひき目５２ａおよび５２ｂが端部プレート７６の隅部にある状態で配置される。感触器フランジ５０が端部プレート７６の端縁部１２８（図１５Ａで見られる）に押し付けられ、締結具が前記縁部に沿って導入され底部フランジ４４を端部要素と係合する。次いで側方要素７０が図１６Ｂで見られるように押出物２２をひき目５２ａおよび５２ｂで９０°曲げることによって形成される。中央プレート８０は側方要素７０を曲げる前に工具１１０の中央ブロック１３０に導入され得る。押出物２２の側方要素７０の感触器フランジ５０は端部プレート７６（図１５Ａで見られる）、中央プレート８０および端部プレート７８の側縁部１３２に押し付けられ、締結具１２７がこれら縁部に沿って導入され、端部プレートを底部フランジ４４に係合する。取り付け構造は図１７に詳細に示されている。
【００２５】
フレーム２０はまた、側方要素７０および端部要素７２が押出物２４からある長さに切断された状態で、それら要素を曲げるためのウェブを残すことなく、作製され得る。側方要素７０および端部要素７２は隅部で整列されるが、このとき感触器フランジ５０（図２Ｃおよび２Ｄに関連して記載したようなもの）は締結具１２７を導入するため端部プレート７６、７８および中央プレート８０の端縁部に対し係合され、図１３Ａおよび１３Ｂに関連して記載したような隅部ブラケット１０４が剛性フレーム２０を完成するために導入され得る。
【００２６】
次いで平行移動用支持ブロック６０、固定支持ブロック８２、および傾斜した支持部材８８が、フレーム側方要素７０の支持チャネル３２に挿入され得る。次いで非平行移動用ブロックまたは部材が所定の位置に固定され得る。完全に分離された端部要素および側方要素を備えたアセンブリを完成するために、次に第２端部要素が導入され固定される。曲折可能なひき目を有する押出物に関して、フレーム２０は次に工具１１０から取り外され得、押出物２２は次にフレームを閉鎖すべくひき目５２ｃおよび５２ｄで曲げられ得、このときフレーム端部要素７２ａおよび７２ｂは端部プレート７８と係合し、感触器フランジ５０は端部プレート７８の端縁部１２８に押し付けられ、締結具がその縁部に沿って導入され、底部フランジ４４を端部要素と係合する。前に図１０Ｃに記載し示したように、傾斜した支持ブロックは、当接するフレーム端部要素７２ａおよび７２ｂの支持チャネル３２を横切る係合によって追加の剛性を与えるために使用され得る。次いで屈折構造１０の作動要素および移動台座２２がブロックに、または中央プレートまたは端部プレートに適切に導入され得、屈折構造が移動台座および作動要素に取り付けられる。
【００２７】
ベッドのボルスタは、フレーム押出物と同様の線形プロセスで作製され得、発泡ポリエチレン（ＥＰＥ）または同様の材料であり得る押出発泡体を有し、長い長さで提供され得るか、押出機から直接作業が行われ得る。ボルスタの全体長さは切断され得、ボルスタをフレーム隅部で曲げるためにひき目が形成され得る。隅部で湾曲した曲折を提供するひき目の形状が、本発明と共通の譲受人を有する前に参照した同時係属出願の米国特許出願第１２／９４２，９１６号明細書（表題「Ｂｅｄ  Ｆｒａｍｅ  ｆｏｒ  ａｎ  Ａｄｊｕｓｔａｂｌｅ  Ｂｅｄ」）に記載されているように使用され得る。布が接着剤ロールプロセスでＥＰＥ発泡体に適用され得る、または代替的なスプレー仕上げが発泡体に適用され得る。次いでひき目の付いた発泡体が押出物２２の掴みフランジ３６および４２に挿入される。代替的に、被覆された発泡体が、フレーム側方要素７０および端部要素７２に対応する長さに切断され得、別々に各要素に導入され得る。次いでベッドの脚部を含み得る隅部仕上げ要素１３６が、図１８に示されるように、捕捉フランジ１３８を、露出された付属品チャネルまたは支持チャネル３２に挿入することによって隅部に固定され得る。隅部仕上げ要素は、上部キャップ１３７であり得、図１１Ｃに示されるように隅部周囲に支持チャネルのフランジの連続性を単に提供し得る。
【００２８】
同様に、ベッドフレーム１０は、結合継手１３９を使用することによって物理的に結合され得、このときフランジ要素１４０は図１９に示されるように隣接フレームの端部要素７２の露出された支持チャネル３０と係合されている。これは、別々の屈折構造を有するフレームを単一のベッドに結合すること、例えば２つのツインサイズの屈折アセンブリおよびフレームを有するキングベッドサイズに結合することを可能にする。図２０に示されるような多数の脚部に対する従来技術の要件は今や取り除かれ、キングサイズが図２１に示されるように一対のツインサイズから形成されることを可能にする。
【００２９】
押出物２２はさらに、フレームの外側表面の一部または全体に仕上げ表面を提供するために成形要素を含み得る。図２２Ａおよび２２Ｂに示されるように、上部掴みフランジ３６’が、外側フランジ４０の中間地点から延在し得、および仕上げられた箱状要素１０２ａまたは１０２ｂが押出物に含められ、フレームの少なくとも一部に実質的な仕上げ表面を提供し得る。仕上げられた箱状要素と布パッド付きボルスタ９４の相対高さは、図２２Ｃまたは２２Ｄに示されるように望み通りに上部掴みフランジ３６’を位置付けることによって調整され得る。
【００３０】
同じくヘッドボードのベッドへの取付けも図２３に示されるように簡単に処理され得る。係合角度１４２がフレーム側方要素７０の支持チャネル３２の開放頭方向端部に挿入され、固定要素に関して前に記載したような陥凹ねじ（ｄｉｍｐｌｉｎｇ  ｓｃｒｅｗ）を用いて固定される。取付プレート１４４がヘッドボードを取り付けるために挿入フランジ１４６に対して垂直に延在する。
【００３１】
特許法により要求されるように本発明の様々な実施形態を詳細にここに記載してきたが、当業者であれば、本明細書に開示されている特定の実施形態に対する修正形態および置換形態を認識するであろう。そのような修正形態は以下の請求項の中で定義される本発明の範囲および趣旨の中にある。
【図１Ａ】
0006713930.tif 000002
【図１Ｂ】
0006713930.tif 000003
【図２Ａ】
0006713930.tif 000004
【図２Ｂ】
0006713930.tif 000005
【図２Ｃ】
0006713930.tif 000006
【図２Ｄ】
0006713930.tif 000007
【図３Ａ】
0006713930.tif 000008
【図３Ｂ】
0006713930.tif 000009
【図４Ａ】
0006713930.tif 000010
【図４Ｂ】
0006713930.tif 000011
【図５】
0006713930.tif 000012
【図６Ａ】
0006713930.tif 000013
【図６Ｂ】
0006713930.tif 000014
【図７Ａ】
0006713930.tif 000015
【図７Ｂ】
0006713930.tif 000016
【図８】
0006713930.tif 000017
【図９】
0006713930.tif 000018
【図１０Ａ】
0006713930.tif 000019
【図１０Ｂ】
0006713930.tif 000020
【図１１Ａ】
0006713930.tif 000021
【図１１Ｂ】
0006713930.tif 000022
【図１１Ｃ】
0006713930.tif 000023
【図１１Ｄ】
0006713930.tif 000024
【図１２Ａ】
0006713930.tif 000025
【図１２Ｂ】
0006713930.tif 000026
【図１３Ａ】
0006713930.tif 000027
【図１３Ｂ】
0006713930.tif 000028
【図１３Ｃ】
0006713930.tif 000029
【図１４Ａ】
0006713930.tif 000030
【図１４Ｂ】
0006713930.tif 000031
【図１５Ａ】
0006713930.tif 000032
【図１５Ｂ】
0006713930.tif 000033
【図１６Ａ】
0006713930.tif 000034
【図１６Ｂ】
0006713930.tif 000035
【図１７】
0006713930.tif 000036
【図１８】
0006713930.tif 000037
【図１９】
0006713930.tif 000038
【図２０】
0006713930.tif 000039
【図２１】
0006713930.tif 000040
【図２２Ａ】
0006713930.tif 000041
【図２２Ｂ】
0006713930.tif 000042
【図２２Ｃ】
0006713930.tif 000043
【図２２Ｄ】
0006713930.tif 000044
【図２３】
0006713930.tif 000045